(57)【要約】【課題】テレビジョン受信機能を有する携帯端末から平易な操作でテレビ番組情報を送出させ、その情報をテレビジョン受像機で受信して使用者が特別な操作をすることなく、携帯端末と同一のテレビ番組を家庭内のテレビジョン受像機で視聴することを可能として使用者に快適なテレビ視聴環境を自動的に提供すること。【解決手段】テレビ番組を受信する機能を有する携帯端末からの情報を受信するテレビジョン受像機であって、携帯端末からのテレビ番組情報を受信する手段と、前記情報に基づいて機能を動作させる手段を具備するテレビジョン受像機。【選択図】図１
2007189576.tif 000002
【特許請求の範囲】
【請求項１】
テレビ番組を受信する機能を有する携帯端末からの情報を受信するテレビジョン受像機であって、
携帯端末からのテレビ番組情報を受信する手段と、
前記情報に基づいて機能を動作させる手段とを具備するテレビジョン受像機。
【請求項２】
テレビ番組を受信する機能を有する携帯端末からの情報を受信するテレビジョン受像機における機能動作方法であって、
携帯端末からのテレビ番組情報を受信するステップと、
前記情報に基づいて機能を動作させるステップとを具備することを特徴とするテレビジョン機能動作方法。
【発明の詳細な説明】
【技術分野】
【０００１】
本発明は、テレビジョン受像機に監視、さらに詳しくはテレビジョン受信機能を有する携帯端末から送信されたテレビ番組情報を受信して、それと同じ状態でテレビジョン受像機を設定することを可能とするテレビジョン受像機、またはそれらに用いられるコンピュータープログラムに関するものである。
【０００２】
ここで送出されるテレビ番組情報は、使用者が最後に携帯端末で視聴した際の情報であり、これらは携帯端末を台座に置くなどの平易な作業で携帯端末より送出される。
【背景技術】
【０００３】
通常、テレビジョン受信機能を持つ携帯端末で視聴したテレビ番組情報はその携帯端末でのみ使用されるため、一般のテレビジョン受像機で同じ番組を視聴しようとする場合には別個にテレビジョン受像機を操作して同じテレビ番組を選択する必要があった。
【０００４】
一方、テレビジョン受信機能を有する複数の携帯端末間でテレビ番組情報を伝達する手段は公知である。
【特許文献１】特開２００４−３４３４２７号公報
【発明の開示】
【発明が解決しようとする課題】
【０００５】
上述のように携帯端末で視聴していたテレビ番組の情報は携帯端末でのみ使用されるため、他のテレビジョン受像機器がその情報を知りうることは不可能であった。特開２００４−３４３４２７号で示されるようにテレビジョン受信機能を有する携帯電話端末間においてのテレビ番組情報の伝達という手段は公知である。しかしながらこの場合においては携帯電話端末を常に通信状態にしておく必要があるため、電話通信機能を有さないテレビジョン受像機などで携帯端末と同じテレビ番組を視聴することは不可能であった。また、前述の手段においては端末機器は通信状態である必要があるため、常に端末の電源を入れておかねばならないなどの使用上の制限も発生するため使用者にとって簡単な操作でその効果を得るということが不可能であった。
【０００６】
そこで当発明はテレビジョン受信機能を有する携帯端末から平易な操作でテレビ番組情報を送出させ、その情報をテレビジョン受像機で受信して使用者が特別な操作をすることなく、携帯端末と同一のテレビ番組を家庭内のテレビジョン受像機で視聴することを可能として使用者に快適なテレビ視聴環境を自動的に提供することを目的とする。
【課題を解決するための手段】
【０００７】
上記課題を解決するために本発明（請求項１）に関わるテレビジョン受像機はテレビ番組を受信する機能を有する携帯端末からの情報を受信するテレビジョン受像機であって、携帯端末からのテレビ番組情報を受信する手段と、前記情報に基づいて機能を動作させる手段を具備したものである。
【０００８】
また、本発明（請求項２）はテレビジョン受像機におけるテレビジョン機能動作方法であって、テレビ番組を受信する機能を有する携帯端末からの情報を受信するテレビジョン受像機における機能動作方法であって、携帯端末からのテレビ番組情報を受信するステップと、前記情報に基づいて機能を動作させるステップを具備するものである。
【発明の効果】
【０００９】
本発明のテレビジョン受像機によれば、テレビジョン受像機から送出されるテレビ番組情報を受信することにより、その番組の情報を検知してテレビジョン受像機の機能を動作させる構成にしたことから、自動的に携帯端末で視聴していたテレビ番組と同一の番組を家庭内のテレビジョン受像機で視聴することが可能となり、使用者が特別な操作を必要とせず容易に外出先で視聴していたテレビ番組を帰宅時に継続して視聴する環境を提供できる効果がある。
【発明を実施するための最良の形態】
【００１０】
以下、本発明を実施するための形態を図１から図３を用いて説明する。なお本発明は実施の形態に何ら限定されるものではなく、要旨を逸脱しない範囲においては態様で実施され得る。
【００１１】
図１は本実施の形態におけるテレビジョン受像機におけるハードウェア構成図である。
【００１２】
図１において１１は携帯端末のテレビジョン受信機能部である。また１２は携帯端末が設置される台座に置かれた状態を検出する検出部である。１３は携帯端末が外部機器に対してリモコン信号を送出するリモコン信号送出部である。１４は携帯端末が有するテレビ番組視聴状態の情報を記憶する記憶部である。１５は家庭内の据え置き型テレビジョン受像機のリモコン信号受信部である。１６はテレビジョン受像機がその機能を動作させる機能動作部である。
【００１３】
図２は実施の形態１の全体的な使用例の一例を示したものである。図２において２１はテレビジョン受信機能を有する携帯端末である。２２は携帯端末がテレビ番組情報を送出するためのリモコン信号送信装置である。２３は携帯端末が設置台座に置かれたことを検出する検出部である。２４は携帯電話を設置する充電器などの台座である。２５は家庭内据え置き型のテレビジョン受像機である。２６はテレビジョン受像機のリモコン信号受信部である。
【００１４】
（実施の形態１）
次に実施の形態１によるテレビジョン受像機の動作について説明する。まず使用者はテレビジョン受信機能を有する携帯端末２１のテレビジョン受信機能１１を用いて外出先などの自宅外でテレビ番組を視聴する。この時、形態端末２１は受信したテレビ番組のチャンネルや画質などの視聴情報をテレビ番組情報記憶部１４に記憶する。使用者は外出から帰宅後に家庭内に設置している携帯端末の充電器などの台座２４に携帯端末を置く。携帯端末２１は台座検出部２１より台座上に設置されたことを検出して、使用者が外出先から帰宅したことを検知する。携帯端末２１は使用者が帰宅したことを検知してリモコン信号送出部１３が形態端末で視聴していたテレビ番組情報を記憶部１４より取得する。リモコン信号送出部１３は据え置き型のテレビジョン受像機を使用するために必要なテレビ電源をオンにするためのリモコンコードをリモコン信号送信装置２２を用いて送信する。その後リモコン信号送出部１３はテレビ情報記憶部１４から取得したテレビ番組のチャンネルや画質を指定するリモコンコードを同様にリモコンコード送信装置２２を用いて送信する。
【００１５】
家庭内据え置き型テレビジョン受像機２５はリモコン信号送信装置２２から送信されたリモコンコードをリモコン信号受信部２６より受信して指定された機能を動作させて、テレビジョン受像機の電源をオンにした後、指定されたチャンネルを受信して、指定された画質状態を設定する。
【００１６】
次に携帯端末と据え置き型テレビジョン受像機の受信する番組を一致させる手段の動作を以下に説明する。
【００１７】
使用者は携帯端末２１を用いてテレビ番組を視聴する（図３のステップ１）。帰宅後、使用者は充電器などの台座２４に携帯端末２１を設置する（図３のステップ２）。台座検出部１３が台座に設置されたことを検出し、リモコン信号送出部１３が据え置き型テレビ電源オンのリモコンコードを生成してリモコン信号送信装置２２よりテレビ電源オンのリモコンコードを送出する（図３のステップ３）。据え置き型テレビジョン受像機２５はリモコン信号受信部２６より送信装置２２より送られたテレビ電源オンのリモコンコードを受信して受像機の電源をオンにする（図３のステップ４）。リモコン信号送出部１３は続いて記憶部１４より携帯端末で視聴していたチャンネル情報を取得してリモコンコードを生成し、リモコン信号送信装置２２よりチャンネル指定のリモコンコードを送出する（図３のステップ５）。据え置き型テレビジョン受像機２５はリモコン信号受信部２６が受信したチャンネル番号の情報を用いてそのチャンネルを選局する（図３のステップ６）。
【００１８】
このような携帯端末とテレビジョン受像機の制御方法を用いることにより、使用者は特別な操作を必要とすることなく外出先から帰宅後に自動的に家庭内のテレビジョン受像機で引き続き同じテレビ番組を視聴することが可能となる。
【００１９】
以上のように本発明のテレビジョン受像機または受像方法によれば、使用者は外出先で携帯端末で視聴していたテレビ番組を特別な操作を用いることなく、自動的に家庭内のテレビジョン受像機で引き続き視聴できる環境を提供することが可能となる。
【００２０】
なお、本実施の形態ではリモコン信号によるテレビ番組情報の伝達の形態を提示したが、これがその他の伝達の形態であっても本発明の制御手段、方法によって容易に実施することができる。
【産業上の利用可能性】
【００２１】
本発明のテレビジョン受像機は使用者が特別な操作を用いることなく、携帯端末のテレビ番組を家庭内テレビジョン受像機で視聴することができる効果を有し、テレビ受像機などのＡＶ分野と携帯電話などの通信分野において有用である。
【図面の簡単な説明】
【００２２】
【図１】本発明におけるテレビジョン受像機のハードウェア構成図の一例を示した図
【図２】本発明におけるテレビジョン受像機の一例を示した図
【図３】本発明における処理ステップの一例を示した図
【符号の説明】
【００２３】
１１    携帯端末側テレビジョン受信機能部
１２    台座検出部
１３    リモコン信号送出部
１４    テレビ番組情報記憶部
１５    リモコン信号受信部
１６    テレビジョン機能動作部
２１    携帯端末
２２    リモコン信号送信装置
２３    台座検出部
２４    設置台座
２５    テレビジョン受像機
２６    リモコン信号受信部
【図１】
2007189576.tif 000003
【図２】
2007189576.tif 000004
【図３】
2007189576.tif 000005